(57)【要約】【課題】観察像とは異なる画像を観察者に適切に観察させる。【解決手段】画像表示装置（１）は、観察像を第１視点（ＥＰ１）から接眼レンズ（２１ａ）を介して観察者に観察させる観察装置（２）に着脱可能であり、且つ、観察像とは異なる画像を、第１視点とは異なる第２視点（ＥＰ２）から観察者に観察させる表示部（１１）と、観察装置の本体部（２２）に対する接眼レンズの位置の変化に連動して、表示部の位置及び表示部の角度の少なくとも一方を調整する調整部（１２）と、を備える。【選択図】図１
2018066840.tif 000002
【特許請求の範囲】
【請求項１】
観察像を第１視点から接眼レンズを介して観察者に観察させる観察装置に着脱可能であり、且つ、前記観察像とは異なる画像を、前記第１視点とは異なる第２視点から前記観察者に観察させる表示部と、
前記観察装置の本体部に対する前記接眼レンズの位置の変化に連動して、前記表示部の位置及び前記表示部の角度の少なくとも一方を調整する調整部と、
を備えることを特徴とする画像表示装置。
【請求項２】
前記表示部は、液晶表示装置であることを特徴とする請求項１に記載の画像表示装置。
【請求項３】
前記表示部は、
前記画像を投影する画像投影部と、
前記投影された画像を前記第２視点から前記観察者に観察させる光学系と、
を有することを特徴とする請求項１に記載の画像表示装置。
【請求項４】
前記光学系は、凹面鏡を含むことを特徴とする請求項３に記載の画像表示装置。
【請求項５】
前記観察装置は、前記接眼レンズの位置の変化に連動する伝達部を備え、
前記調整部は、前記伝達部からの力を受けて、前記表示部の位置及び前記表示部の角度の少なくとも一方を、前記接眼レンズの位置の変化に連動して変化させる受動部を有し、
前記表示部の前記観察装置への装着時に、前記伝達部と前記受動部とが係合する
ことを特徴とする請求項１乃至４のいずれか一項に記載の画像表示装置。
【発明の詳細な説明】
【技術分野】
【０００１】
本発明は、観察像を、接眼レンズを介して、観察者に観察させる観察装置と一緒に用いられる画像表示装置の技術分野に関する。
【背景技術】
【０００２】
この種の観察装置として、例えば、顕微鏡本体と接眼レンズを有する観察鏡筒との間に中間鏡筒を着脱可能な顕微鏡であって、鉛直方向の位置を調整可能な筒状の接続部材を顕微鏡本体に設け、該接続部材を介して観察鏡筒を設けることにより、中間鏡筒の有無に関係なく、アイポイント（即ち、観察者が接眼レンズを覗く位置）の高さを最適な位置に設定することができる倒立顕微鏡が提案されている（特許文献１参照）。
【先行技術文献】
【特許文献】
【０００３】
【特許文献１】特開２００６−９１５７１号公報
【発明の概要】
【発明が解決しようとする課題】
【０００４】
この種の観察装置には、観察像とは異なる画像を観察者に表示する表示部が設けられている場合がある。ここで、特許文献１に記載の倒立顕微鏡のように、接眼レンズの位置が変更可能に構成されている場合、即ち、観察者のアイポイントの位置が変更可能な場合、変更後の接眼レンズの位置によっては表示部により表示された画像の視認性が低下する可能性がある。特許文献１に記載の技術では、この点について考慮されていない。
【０００５】
本発明は、上記問題点に鑑みてなされたものであり、観察装置の接眼レンズの位置が変更されたとしても、観察像とは異なる画像を観察者に適切に観察させることが可能な画像表示装置を提供することを課題とする。
【課題を解決するための手段】
【０００６】
本発明の画像表示装置は、上記課題を解決するために、観察像を第１視点から接眼レンズを介して観察者に観察させる観察装置に着脱可能であり、且つ、前記観察像とは異なる画像を、前記第１視点とは異なる第２視点から前記観察者に観察させる表示部と、前記観察装置の本体部に対する前記接眼レンズの位置の変化に連動して、前記表示部の位置及び前記表示部の角度の少なくとも一方を調整する調整部と、を備える。
【０００７】
本発明の作用及び他の利得は次に説明する実施するための形態から明らかにされる。
【図面の簡単な説明】
【０００８】
【図１】実施例に係る画像表示装置を模式的に示す模式図である。
【図２】実施例に係る画像表示装置における表示部の動きの一例を示す図である。
【発明を実施するための形態】
【０００９】
本発明の画像表示装置等に係る実施形態について説明する。
【００１０】
（画像表示装置）
実施形態に係る画像表示装置は、観察像を第１視点から接眼レンズを介して観察者に観察させる観察装置に着脱可能であり、且つ、観察像とは異なる画像を、第１視点とは異なる第２視点から観察者に観察させる表示部と、観察装置の本体部に対する接眼レンズの位置の変化に連動して、表示部の位置及び表示部の角度の少なくとも一方を調整する調整部と、を備える。
【００１１】
観察者は、第１視点から、接眼レンズを介して（即ち、観察者が接眼レンズを覗くことによって）観察像を観察することができる。観察者は、更に、第２視点から画像を観察することができる。ここで、接眼レンズが可動するように構成されていたり、観察装置自体が可動するように設置されていたりする場合、接眼レンズの位置の変化に伴い第１視点も変化する。このとき、何らの対策も採らなければ、第２視点から観察される画像の視認性が低下する可能性がある。
【００１２】
本実施形態に係る画像表示装置では、観察装置の本体部に対する接眼レンズの位置の変化に連動して、表示部の位置及び表示部の角度の少なくとも一方が調整される。このため、当該画像表示装置によれば、接眼レンズの位置が変化したとしても、第２視点から画像を観察者に適切に観察させることができる。
【００１３】
本実施形態に係る画像表示装置の一態様では、観察装置は、接眼レンズの位置の変化に連動する伝達部を備え、調整部は、伝達部からの力を受けて、表示部の位置及び表示部の角度の少なくとも一方を、接眼レンズの位置の変化に連動して変化させる受動部を有し、表示部の観察装置への装着時に、伝達部と受動部とが係合する。
【００１４】
この態様によれば、表示部の観察装置への装着時に、伝達部と受動部とが機械的に係合される。このため、電気的又は電子的な制御を必要とせずに、表示部の位置及び角度の少なくとも一方を調整することができる。尚、「伝達部と受動部との係合」は、伝達部と受動部とが直接係合される場合に限らず、伝達部と受動部とが間接的に係合される場合も含む概念である。
【実施例】
【００１５】
本発明の画像表示装置に係る実施例について、図１及び図２を参照して説明する。
【００１６】
（画像表示装置の構成）
本実施例に係る画像表示装置の構成について、図１を参照して説明する。図１は、実施例に係る画像表示装置を模式的に示す模式図である。
【００１７】
図１において、画像表示装置１は、表示部１１及び調整部１２を備えて構成されている。画像表示装置１は、図２に示すように、顕微鏡２と一緒に用いられる。顕微鏡２は、観察像を形成する光を、接眼レンズ２１ａを介して、第１視点ＥＰ１に導くように構成されている。接眼レンズ２１ａを有する鏡筒２１は、その位置を変更可能に構成されており、鏡筒２１の位置変化に伴い、顕微鏡２の本体部２２の内部に配置された平歯車２２１が回転する。
【００１８】
表示部１１は、画像投影部１１１、凹面鏡１１２及び本体部１１３を有している。画像投影部１１１は、本体部１１３の一端に固定されている。本体部１１３の他端は、顕微鏡２の本体部２２に取り付けられている。凹面鏡１１２は、本体部１１３に取り付けられている。
【００１９】
画像投影部１１１は、所望の画像を形成する光を出射可能に構成されている。画像投影部１１１は、ディスプレイ（例えば、フラットパネルディスプレイ）であってもよい。画像投影部１１１は、入射する光を反射可能なＭＥＭＳデバイス（例えば、デジタルミラーデバイス（ＤＭＤ（登録商標）：Ｄｉｇｉｔａｌ  Ｍｉｒｒｏｒ  Ｄｅｖｉｃｅ）や光スキャナ）であってもよい。凹面鏡１１２は、画像投影部１１１から出射された光（即ち、当該光が形成する画像）を、第２視点ＥＰ２に導く光学系を構成している。
【００２０】
尚、凹面鏡１１２を半透過とすれば、表示部１１を、所謂ヘッドアップディスプレイ（Ｈｅａｄ  Ｕｐ  Ｄｉｓｐｌａｙ：ＨＵＤ）として構成することもできる。表示部１１は、上記の態様に限らず、観察者に画像を観察させることが可能な任意の態様を採ることができる。
【００２１】
本体部１１３の他端は、平歯車１２１に接続されている。平歯車１２１と平歯車２２１とは、平歯車１２２を介して係合されている。このため、鏡筒２１の位置変化に伴い平歯車２２１が回転すると、平歯車２２１の回転に連動して平歯車１２２及び１２１が回転し、結果として表示部１１の位置が変化する。尚、顕微鏡２の上方から平面的に見ると、平歯車１２１、１２２及び２２１は、例えば図１（ｂ）のように配置されている。
【００２２】
ここで特に、表示部１１並びに平歯車１２１及び１２２（即ち、調整部１２）は、顕微鏡２に着脱可能に取り付けられている。
【００２３】
（表示画像の調整）
鏡筒２１の位置が変化すると、それに伴い第１視点ＥＰ１の位置も変化する。このとき、仮に第２視点ＥＰ２の位置が固定されていると、観察者が眼（瞳孔）を第２視点ＥＰ２に持っていくことができず、観察者が画像を観察することができない可能性がある、或いは、観察者が眼を第２視点ＥＰ２に持っていったとしても、例えば鏡筒２１等の障害物が観察者の視野に入り、観察者が画像を良好に観察することができない可能性がある。
【００２４】
当該画像表示装置１では、上述の如く、鏡筒２１の位置変化に伴い、表示部１１の位置が変化する。つまり、当該画像表示装置１では、接眼レンズ２１ａの位置変化に連動して、表示部１１の位置が変化する。
【００２５】
具体的には例えば、図２（ａ）に示す状態から、鏡筒２１の位置が図２（ｂ）の矢印ａａの方向に変化すると、平歯車２２１、１２２及び１２１各々が回転することにより、表示部１１の位置が図２（ｂ）の矢印ａｂの方向に変化する。言うまでもないことではあるが、鏡筒２１の位置の変化に応じた最適な場所に表示部１１が位置するように、平歯車１２１及び１２２（即ち、調整部１２）は設計されている。
【００２６】
尚、本実施例では、表示部１１は、平歯車１２１の中心を回転軸として回転可能であるので、図２（ｂ）に示す矢印ａｂの方向への表示部１１の移動は、表示部１１の位置の調整とも、表示部１１の角度の調整とも解釈可能である。
【００２７】
（技術的効果）
当該画像表示装置１によれば、顕微鏡２の本体部２２に対する接眼レンズ２１ａの位置の変化に連動して、表示部１１の位置が変更（調整）されるので、画像を第２視点ＥＰ２から観察者に適切に観察させることができる。当該画像表示装置１では特に、電気制御や電子制御を用いることなく表示部１１の位置が変更（調整）されるので、例えばコストの低減を図ることができたり、当該画像表示装置１の故障を抑制することができたりする。
【００２８】
本実施例に係る「顕微鏡２」、「平歯車２２１」及び「平歯車１２１」は、夫々、本発明に係る「観察装置」、「伝達部」及び「受動部」の一例である。
【００２９】
＜変形例＞
上述の実施例に係る表示部１３は、画像投影部１３１から出射された光が、凹面鏡１３２により第２視点ＥＰ２に導かれる構成である。表示部１３は、該構成に限らず、例えば液晶表示装置等の画面に表示された画像を、観察者に直接観察させるような構成であってもよい。
【００３０】
上述の実施例では、凹面鏡１１２の取付角度については言及していないが、鏡筒２１（即ち、接眼レンズ１２ａ）の位置の変化に連動して、表示部１１の本体部１１３の角度だけでなく、例えば図１に示す軸１２３まわりの凹面鏡１１２の角度が変化するように構成されていてもよい。
【００３１】
上述の実施例に係る平歯車１２１、１２２及び２２１に代えて、例えばカムとカムフォロワとが用いられてもよい。
【００３２】
本発明は、上述した実施例に限られるものではなく、特許請求の範囲及び明細書全体から読み取れる発明の要旨或いは思想に反しない範囲で適宜変更可能であり、そのような変更を伴う画像表示装置もまた本発明の技術的範囲に含まれるものである。
【符号の説明】
【００３３】
１…画像表示装置、２…顕微鏡、１１…表示部、１２…調整部、２１…鏡筒、２１ａ…接眼レンズ、２２…本体部、１１１…画像投影部、１１２…凹面鏡、１２１、１２２、２２１…平歯車、ＥＰ１…第１視点、ＥＰ２…第２視点
【図１】
2018066840.tif 000003
【図２】
2018066840.tif 000004